【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
識別情報によりプリンタドライバに関連付けられたアプリケーションが提供する操作画面を表示させる第１表示制御手段を有し、
前記プリンタドライバは印刷設定を行うためのＧＵＩを持つことができず、
印刷ジョブとしてメンテナンスコマンドを扱うことが制限された環境下において、
前記操作画面における指示を介して、印刷装置におけるメンテナンス処理を指示するためのメンテナンス画面が表示され、
前記メンテナンス画面においてメンテナンス処理のための指示が受け付けられ、
前記メンテナンス画面において受け付けられた指示に応じたメンテナンスコマンドを印刷装置に対して送信することを特徴とする情報処理装置。
【請求項２】
前記アプリケーションが前記メンテナンスコマンドの送信を指示することを特徴とする請求項１に記載の情報処理装置。
【請求項３】
前記メンテナンス画面において受け付けた指示に基づいて、データベースから前記メンテナンスコマンドを取得する取得手段をさらに有し、
前記取得手段が取得したメンテナンスコマンドが印刷装置に対して送信されることを特徴とする請求項１又は２に記載の情報処理装置。
【請求項４】
前記メンテナンス画面において受け付けた指示に対応するメンテナンス動作を特定するためのコマンド識別子を取得する識別子取得手段を有し、
前記データベースは、前記コマンド識別子と前記メンテナンスコマンドを対応付けて管理し、
前記取得手段は、前記識別子取得手段により取得したコマンド識別子に基づいて、メンテナンスコマンドを前記データベースから取得することを特徴とする請求項３に記載の情報処理装置。
【請求項５】
前記取得手段は、前記印刷装置の機種を特定するための機種識別子及び前記コマンド識別子に基づいて、メンテナンスコマンドを前記データベースから取得することを特徴とする請求項４に記載の情報処理装置。
【請求項６】
前記機種識別子を前記印刷装置から取得する機種識別子取得手段をさらに備えることを特徴とする請求項５に記載の情報処理装置。
【請求項７】
前記機種識別子取得手段は、前記データベースが複数機種をサポートしている場合に前記機種別識別子を前記印刷装置から取得することを特徴とする請求項６に記載の情報処理装置。
【請求項８】
前記操作画面は、メンテナンス画面へのリンクボタンを有することを特徴とする請求項１〜７のいずれか１項に記載の情報処理装置。
【請求項９】
前記メンテナンス画面は、前記印刷装置において実行されるメンテナンス処理の内容を選択するための画面であることを特徴とする請求項１〜８のいずれか１項に記載の情報処理装置。
【請求項１０】
前記メンテナンス処理は、クリーニングを含むことを特徴とする請求項１〜９のいずれか１項に記載の情報処理装置。
【請求項１１】
前記印刷装置のステータス画面を表示可能であることを特徴とする請求項１〜１０のいずれか１項に記載の情報処理装置。
【請求項１２】
ＯＳ機能を拡張するための拡張ファイルに従って動作するポートモニタを有し、
前記取得手段は、前記ポートモニタにより、前記メンテナンスコマンドを取得し、
前記送信手段は、前記ポートモニタにより、前記メンテナンスコマンドを送信することを特徴とする請求項１〜１１のいずれか１項に記載の情報処理装置。
【請求項１３】
前記取得手段が前記メンテナンスコマンドを取得できなかった場合、エラー発生用データを前記印刷装置に送信することを特徴とする請求項１〜１２のいずれか１項に記載の情報処理装置。
【請求項１４】
印刷装置と接続されている情報処理装置における処理方法であって、
前記情報処理装置のプリンタドライバは、印刷設定を行うためのＧＵＩを持つことができず、
印刷ジョブとしてメンテナンスコマンドを扱うことが制限された環境下において、
識別情報により前記プリンタドライバに関連付けられたアプリケーションが提供する操作画面を表示し、
前記操作画面における指示を介して、印刷装置におけるメンテナンス処理を指示するためのメンテナンス画面を表示し、
前記メンテナンス画面においてメンテナンス処理のための指示を受け付け、
前記メンテナンス画面において受け付けた指示に応じたメンテナンスコマンドを印刷装置に対して送信することを特徴とする処理方法。
【請求項１５】
コンピュータを、
識別情報によりプリンタドライバに関連付けられたアプリケーションが提供する操作画面を表示させる第１表示制御手段として機能させ、
前記プリンタドライバは印刷設定を行うためのＧＵＩを持つことができず、
印刷ジョブとしてメンテナンスコマンドを扱うことが制限された環境下において、
前記操作画面における指示を介して、印刷装置におけるメンテナンス処理を指示するためのメンテナンス画面を表示させ、
前記メンテナンス画面においてメンテナンス処理のための指示を受け付け、
前記メンテナンス画面において受け付けられた指示に応じたメンテナンスコマンドを印刷装置に対して送信させることを特徴とするプログラム。
【請求項１６】
前記アプリケーションによって前記メンテナンスコマンドの送信が指示されることを特徴とする請求項１５に記載のプログラム。
【請求項１７】
前記メンテナンス画面において受け付けた指示に基づいて、データベースから前記メンテナンスコマンドを取得する取得手段として機能させ、
メンテナンスコマンドが印刷装置に対して送信させることを特徴とする請求項１５又は１６に記載のプログラム。
【請求項１８】
前記メンテナンス画面において受け付けた指示に対応するメンテナンス動作を特定するためのコマンド識別子を取得する識別子取得手段として機能させ、
前記データベースは、前記コマンド識別子と前記メンテナンスコマンドを対応付けて管理し、
前記識別子取得手段により取得したコマンド識別子に基づいて、メンテナンスコマンドが前記データベースから取得されることを特徴とする請求項１７に記載のプログラム。
【請求項１９】
前記印刷装置の機種を特定するための機種識別子及び前記コマンド識別子に基づいて、メンテナンスコマンドが前記データベースから取得されることを特徴とする請求項１８に記載のプログラム。
【請求項２０】
前記機種識別子を前記印刷装置から取得する機種識別子取得手段として機能させことを特徴とする請求項１９に記載のプログラム。
【請求項２１】
前記データベースが複数機種をサポートしている場合に前記機種別識別子が前記印刷装置から取得されることを特徴とする請求項２０に記載のプログラム。
【請求項２２】
前記操作画面は、メンテナンス画面へのリンクボタンを有することを特徴とする請求項１５〜２１のいずれか１項に記載のプログラム。
【請求項２３】
前記メンテナンス画面は、前記印刷装置において実行されるメンテナンス処理の内容を選択するための画面であることを特徴とする請求項１５〜２２のいずれか１項に記載のプログラム。
【請求項２４】
前記メンテナンス処理は、クリーニングを含むことを特徴とする請求項１５〜２３のいずれか１項に記載のプログラム。
【請求項２５】
前記印刷装置のステータス画面を表示可能であることを特徴とする請求項１５〜２４のいずれか１項に記載のプログラム。
【請求項２６】
ＯＳ機能を拡張するための拡張ファイルに従って動作するポートモニタを有し、
前記ポートモニタにより、前記メンテナンスコマンドが取得され、
前記ポートモニタにより、前記メンテナンスコマンドが送信されることを特徴とする請求項１５〜２５のいずれか１項に記載のプログラム。
【請求項２７】
前記メンテナンスコマンドを取得できなかった場合、エラー発生用データが前記印刷装置に送信されることを特徴とする請求項１５〜２６のいずれか１項に記載のプログラム。
【手続補正２】
【補正対象書類名】明細書
【補正対象項目名】０００５
【補正方法】変更
【補正の内容】
【０００５】
上記課題を解決するための本発明は、識別情報によりプリンタドライバに関連付けられたアプリケーションが提供する操作画面を表示させる第１表示制御手段を有し、前記プリンタドライバは印刷設定を行うためのＧＵＩを持つことができず、印刷ジョブとしてメンテナンスコマンドを扱うことが制限された環境下において、前記操作画面における指示を介して、印刷装置におけるメンテナンス処理を指示するためのメンテナンス画面が表示され、前記メンテナンス画面においてメンテナンス処理のための指示が受け付けられ、
前記メンテナンス画面において受け付けられた指示に応じたメンテナンスコマンドを印刷装置に対して送信する。